(57)【要約】【課題】棚卸確定操作の前に棚卸実行し忘れの商品有無を確認できるようにして、棚卸確定操作にやり直しを未然に防止する。【解決手段】各商品の単品コードに対応して部門が設定された単品マスタファイルと、未確定の商品棚卸データを蓄積保存する棚卸入力データファイルと、確定済の商品棚卸データを蓄積保存する棚卸確定データファイルとを備える。部門別にその部門に属する商品の単品数を単品マスタファイルのデータを参照して計数する。部門別にその部門に属する商品で棚卸確定済の単品数を棚卸確定データファイルのデータを参照して計数する。部門別にその部門に属する商品で商品棚卸データ入力済の単品数を棚卸入力データファイルのデータを参照して計数する。部門別にマスタ単品数から棚卸済単品数と棚卸入力単品数とを減算して未棚卸単品数を算出する。部門別の未棚卸単品数を出力する。【選択図】      図７
2006164054.tif 000002
【特許請求の範囲】
【請求項１】
棚卸が行われた商品の単品コード，棚卸数量等の商品棚卸データを取込み確定させる棚卸データ処理装置において、
各商品の単品コードに対応してその商品が属する部門が設定された単品マスタファイルと、
未確定の前記商品棚卸データを蓄積保存する棚卸入力データファイルと、
確定済の前記商品棚卸データを蓄積保存する棚卸確定データファイルと、
前記各商品を分類する部門別にその部門に属する商品の単品数を前記単品マスタファイルのデータを参照して計数するマスタ単品数計数手段と、
前記部門別にその部門に属する商品で棚卸確定済の単品数を前記棚卸確定データファイルのデータを参照して計数する棚卸済単品数計数手段と、
前記部門別にその部門に属する商品で商品棚卸データ入力済の単品数を前記棚卸入力データファイルのデータを参照して計数する棚卸入力単品数計数手段と、
前記部門別に前記棚卸部門単品数計数手段により算出されたマスタ単品数から前記棚卸済単品数計数手段により算出された棚卸済単品数と前記棚卸入力単品数計数手段により算出された棚卸入力単品数とを減算して未棚卸単品数を算出する未棚卸単品数算出手段と、
この未棚卸単品数算出手段により算出された部門別の未棚卸単品数を出力する出力手段と、
を具備したことを特徴とする棚卸データ処理装置。
【請求項２】
商品棚卸データの確定を宣言する確定宣言手段と、
この確定宣言手段により前記商品棚卸データの確定が宣言されると、前記棚卸入力データファイルに保存された未確定の商品棚卸データを前記棚卸確定データファイルに登録して確定させる確定処理手段とをさらに具備し、
前記確定宣言手段は、前記出力手段による部門別未確定単品数の出力後に有効となることを特徴とする請求項１記載の棚卸データ処理装置。
【請求項３】
表示装置をさらに具備し、
前記出力手段は、部門別未棚卸単品数の一覧表を前記表示装置に表示出力することを特徴とする請求項２記載の棚卸データ処理装置。
【請求項４】
前記表示装置に表示出力された部門別未棚卸単品数一覧表の画面に、商品棚卸データを確定させるか否かを選択するためのボタンを表示させたことを特徴とする請求項３記載の棚卸データ処理装置。
【請求項５】
各商品の単品コードに対応してその商品が属する部門が設定された単品マスタファイルと、棚卸が行われた商品の単品コード，棚卸数量等の商品棚卸データのうち未確定の前記商品棚卸データを蓄積保存する棚卸入力データファイルと、前記商品棚卸データのうち確定済の前記商品棚卸データを蓄積保存する棚卸確定データファイルとをアクセス可能なコンピュータに、
前記各商品を分類する部門別にその部門に属する商品の単品数を前記単品マスタファイルのデータを参照して計数する機能と、
前記部門別にその部門に属する商品で棚卸確定済の単品数を前記棚卸確定データファイルのデータを参照して計数する機能と、
前記部門別にその部門に属する商品で商品棚卸データ入力済の単品数を前記棚卸入力データファイルのデータを参照して計数する機能と、
前記部門別に算出されたマスタ単品数から棚卸済単品数と棚卸入力単品数とを減算して未棚卸単品数を算出する機能と、
この機能により算出された部門別の未棚卸単品数を出力する機能と、
を実現させるための棚卸データ処理プログラム。
【発明の詳細な説明】
【技術分野】
【０００１】
本発明は、商品棚卸データを確定させる棚卸データ処理装置、及びコンピュータを上記棚卸データ処理装置として機能させるための棚卸データ処理プログラムに関する。
【背景技術】
【０００２】
スーパーマーケット等の商店では、例えば月末に各商品の在庫数量を調べ、商品毎にその月の在庫数量と仕入数量と売上数量とから損失の有無等をチェックする、いわゆる棚卸作業を定期的に行う必要がある。
【０００３】
この棚卸作業を効率よく進めるために、従来、ハンディターミナル等に設けられたスキャナで在庫商品の単品コード（バーコード）をスキャニングすることにより、その単品コードによって特定される商品の在庫数量が１ずつ加算されるように構成して、商品別の在庫数量を簡単に集計できるようにした技術が知られていた（例えば、特許文献１参照）。
【０００４】
ところで、ハンディターミナル等の入力端末を用いて入力された商品棚卸データは、例えばＰＯＳ（Point Of Sales）システムの上位サーバであるストアコントローラに送られる。そして、ストアコントローラにおいて棚卸確定操作がなされると、棚卸実行日の情報とともにデータベースに保管される。
【０００５】
一方、ストアコントローラのデータベースには、各商品の仕入数量や売上数量等も計数管理されている。そして、ストアコントローラにおいて例えば年月度を指定して棚卸伝票の出力を指令すると、その年月度に棚卸が実行された商品の商品別在庫数量と、当該商品の前回棚卸時の在庫数量と、前回棚卸時から今回棚卸時までの期間内の総仕入数量及び総売上数量とを一覧で示す棚卸帳票が作成されて、表示または印字出力される。この棚卸帳票を精査することにより、店舗管理者は、各商品の損失有無等をチェックすることができる。
【特許文献１】特開２００３−４４９３９号公報
【発明の開示】
【発明が解決しようとする課題】
【０００６】
しかしながら従来は、棚卸確定操作が行われた後で棚卸が実行された商品の損失有無はチェックできるものの、棚卸を実行し忘れた商品の有無を、確定操作前にチェックすることはできなかった。このため、確定操作をした後で棚卸を実行し忘れた商品があることがわかり、その商品の棚卸データを入力後、再度確定操作をしなければならないという煩雑さがあった。
【０００７】
本発明はこのような事情に基づいてなされたもので、その目的とするところは、棚卸確定操作の前に棚卸実行し忘れの商品有無を確認することができ、棚卸確定操作にやり直しを未然に防止できる棚卸データ処理装置を提供しようとするものである。
【０００８】
また本発明は、棚卸確定操作の前に棚卸実行し忘れの商品有無を確認でき、棚卸確定操作にやり直しを未然に防止できる棚卸データ処理機能をコンピュータ上で実現可能な棚卸データ処理プログラムを提供しようとするものである。
【課題を解決するための手段】
【０００９】
本発明の棚卸データ処理装置は、棚卸が行われた商品の単品コード，棚卸数量等の商品棚卸データを取込み確定させるものであって、各商品の単品コードに対応してその商品が属する部門が設定された単品マスタファイルと、未確定の商品棚卸データを蓄積保存する棚卸入力データファイルと、確定済の商品棚卸データを蓄積保存する棚卸確定データファイルとを備えている。また、各商品を分類する部門別にその部門に属する商品の単品数を単品マスタファイルのデータを参照して計数するマスタ単品数計数手段、部門別にその部門に属する商品で棚卸確定済の単品数を棚卸確定データファイルのデータを参照して計数する棚卸済単品数計数手段、部門別にその部門に属する商品で商品棚卸データ入力済の単品数を棚卸入力データファイルのデータを参照して計数する棚卸入力単品数計数手段、及び、部門別にマスタ単品数から棚卸済単品数と棚卸入力単品数とを減算して未棚卸単品数を算出する未棚卸単品数算出手段を備え、この未棚卸単品数算出手段により算出された部門別の未棚卸単品数を出力することで、棚卸確定操作の前に棚卸実行し忘れの商品有無を確認できるようにしたものである。
【００１０】
また、本発明の棚卸データ処理プログラムは、各商品の単品コードに対応してその商品が属する部門が設定された単品マスタファイルと、棚卸が行われた商品の単品コード，棚卸数量等の商品棚卸データのうち未確定の商品棚卸データを蓄積保存する棚卸入力データファイルと、商品棚卸データのうち確定済の商品棚卸データを蓄積保存する棚卸確定データファイルとをアクセス可能なコンピュータに、各商品を分類する部門別にその部門に属する商品の単品数を単品マスタファイルのデータを参照して計数する機能と、部門別にその部門に属する商品で棚卸確定済の単品数を棚卸確定データファイルのデータを参照して計数する機能と、部門別にその部門に属する商品で商品棚卸データ入力済の単品数を棚卸入力データファイルのデータを参照して計数する機能と、部門別に算出されたマスタ単品数から棚卸済単品数と棚卸入力単品数とを減算して未棚卸単品数を算出する機能と、この機能により算出された部門別の未棚卸単品数を出力する機能とを実現させるものである。
【発明の効果】
【００１１】
かかる手段を講じた本発明によれば、棚卸確定操作の前に棚卸実行し忘れの商品有無を確認することができ、棚卸確定操作にやり直しを未然に防止できる棚卸データ処理装置を提供できる。
【００１２】
また、棚卸確定操作の前に棚卸実行し忘れの商品有無を確認でき、棚卸確定操作にやり直しを未然に防止できる棚卸データ処理機能をコンピュータ上で実現可能な棚卸データ処理プログラムを提供できる。
【発明を実施するための最良の形態】
【００１３】
以下、本発明を実施するための最良の形態を、図面を用いて説明する。  
なお、この実施の形態は、ＰＯＳシステムの上位サーバであるストアコントローラとして機能するコンピュータに、本発明に係わる棚卸データ処理プログラムをインストールすることによって、当該コンピュータを棚卸データ処理装置として機能させる場合である。
【００１４】
図１は本実施の形態における棚卸データ処理システムの要部構成を示すブロック図である。このシステムは、ストアコントローラとして機能するコンピュータの本体１０と、このコンピュータ本体１０に接続されたキーボード，マウス等の操作入力部２０と、同じくコンピュータ本体１０に接続された液晶ディスプレイ，ＣＲＴディスプレイ等の表示部３０と、商品販売データや商品仕入れデータ等の入力端末であるＰＯＳターミナル４０と、商品棚卸データの入力端末であるハンディターミナル５０とから構成されている。
【００１５】
コンピュータ本体１０は、本発明に係わる棚卸データ処理機能を実現するために、通信インターフェイス部１１、演算処理部１２、プログラム記憶部１３、データ記憶部１４、入力・表示制御部１５及び表示バッファ１６等を備えている。
【００１６】
通信インターフェイス部１１は、通信回線４１を介して接続されるＰＯＳターミナル４０から販売登録された商品の単品コード，販売点数等の商品販売データを取込む機能を有している。また、通信回線５１を介して接続されるハンディターミナル５０から、棚卸が行われた商品の単品コード，棚卸数量等の商品棚卸データを取込む機能を有している。通信インターフェイス部１１は、例えばＬＡＮボードで構成されている。
【００１７】
演算処理部１２は、プログラム記憶部１３に記憶されたプログラムに基づいて各種の演算処理を行うもので、その演算処理の際にデータ記憶部１４に記憶されているデータファイルをアクセス可能である。演算処理部１２は、例えばＣＰＵで構成されている。
【００１８】
プログラム記憶部１３には、本発明に係わる棚卸データ処理プログラムが記憶されている。棚卸データ処理プログラムは、ＣＤ−ＲＯＭ，フレキシブルディスク等のコンピュータ読取可能な記録媒体にその実体が記録されており、コンピュータ本体１０に設けられた媒体読取装置で読取らせることによって、プログラム記憶部１３に書き込まれる。あるいは、伝送媒体である通信回線４１，５１を経由してその実体がコンピュータ本体１０にダウンロードされ、プログラム記憶部１３に書き込まれる。プログラム記憶部１３は、例えばＲＯＭ，ＥＰＲＯＭ，ＨＤＤ装置等で構成されている。
【００１９】
入力・表示制御部１５は、操作入力部２０を介して入力されるデータを取込み、演算処理部１２に与える機能と、表示バッファ１６から表示データを読み出して表示部３０に表示させる機能とを有している。入力・表示制御部１５は、例えば入出力インターフェイスとドライバで構成されている。
【００２０】
データ記憶部１４は、部門マスタファイル６１，単品マスタファイル６２，棚卸入力データファイル６３及び棚卸確定データファイル６４等のデータファイルを記憶する機能を有している。データ記憶部１４は、例えばＨＤＤ装置，メモリカード等の不揮発性記憶装置で構成されている。
【００２１】
部門マスタファイル６１は、図２に示すように、各商品を分類する部門コード別に、部門名称と未棚卸処理区分コードとを記憶するデータファイルである。ここで、未棚卸処理区分コード＝１は、当該部門に属する商品で棚卸がされなかった商品の棚卸数量を“０”で確定する処理に対応する。未棚卸処理区分コード＝０は、当該部門に属する商品で棚卸がされなかった商品の棚卸数量を、前回棚卸数量に仕入数量を加算した値から売上数量を減算した帳簿上計算値で確定する処理に対応する。未棚卸処理区分コード＝２は、当該部門に属する商品で棚卸がされなかった商品の棚卸数量を、後述する未棚卸単品数が“０”の場合は“０”で確定し、“０”以外の場合には帳簿上計算値で確定する処理に対応する。
【００２２】
単品マスタファイル６２は、図３に示すように、商品毎に設定される各商品の単品コードに対応して、その商品が属する部門コード及び単品名称と、棚卸確定数量，仕入数量及び売上数量とを記憶するデータファイルである。棚卸確定数量は、最新の棚卸確定処理で商品毎に確定された棚卸数量である。仕入数量は、最新の棚卸確定処理以後における商品別の総仕入数量であって、操作入力部２０からの操作入力によりデータ記憶部１４に蓄積されているデータに基づいて更新される。売上数量は、最新の棚卸確定処理以後における商品別の総売上数量であって、ＰＯＳターミナル４０から取込まれる商品販売データに基づいて更新される。
【００２３】
棚卸入力データファイル６３は、図４に示すように、棚卸実行日，単品コード，部門コード，ケース数量，バラ数量及び入り数の各項目からなる棚卸入力データを蓄積記憶するデータファイルである。ケース数量，バラ数量及び入り数は棚卸数量であって、ハンディターミナル５０から取込まれる商品棚卸データに含まれる。
【００２４】
棚卸確定データファイル６４は、図５に示すように、単品コード，棚卸実行日及び棚卸数の各項目からなる棚卸確定データを蓄積記憶するデータファイルである。
【００２５】
しかして本実施の形態においては、ハンディターミナル５０で棚卸が行われた商品の単品コード，棚卸数量等の商品棚卸データが入力され、この商品棚卸データが通信回線５１を介してコンピュータ本体１０に取込まれると、演算処理部１２は、その未確定の商品棚卸データから棚卸入力データを作成し、棚卸入力データファイル６３に追加格納する。
【００２６】
また、ＰＯＳターミナル４０で登録処理された商品仕入れデータや商品販売データが通信回線４１を介してコンピュータ本体１０に取込まれると、演算処理部１２は、この商品仕入れデータや商品販売データに基づいて単品マスタファイル６２の仕入数量及び売上数量を更新する。
【００２７】
また、操作入力部２０の操作入力により棚卸確定業務の実行が指令されると、演算処理部１２は、プログラム記憶部１３に記憶された棚卸データ処理プログラムを起動して、図６の流れ図に示す手順の処理を実行するものとなっている。
【００２８】
先ず、演算処理部１２は、ＳＴ（ステップ）１として表示部３０に棚卸確定条件画面を表示させて、実行年月度及び棚卸部門の棚卸確定条件が入力されるのを待機する。そして、操作入力部２０の操作入力により棚卸確定条件が入力されたならば、演算処理部１２は、ＳＴ２として棚卸確定条件である棚卸部門１つを選択する。そして、この選択部門に対してＳＴ３〜ＳＴ１４の処理を実行する。
【００２９】
すなわち、ＳＴ３では部門マスタファイル６１を検索して、当該選択部門の部門コード，部門名称及び未棚卸処理区分コードを取得する。ＳＴ４では、予め用意されている単品数カウンタＡ，棚卸済数カウンタＢ及び棚卸単品数カウンタＣをいずれも“０”にリセットする。ＳＴ５では、単品マスタファイル６２を先頭レコードから順に検索して、当該選択部門に属する単品コードを探す。そして、該当する単品コードを検出したならば、演算処理部１２は、ＳＴ８として単品数カウンタＡを“１”だけカウントアップする（マスタ単品数計数手段）。
【００３０】
また、ＳＴ９として棚卸確定データファイル６４を先頭レコードから順に検索して、棚卸確定条件の実行年月度を棚卸実行日とするもので単品コードが該当単品コードと一致する棚卸確定データが格納されているか否かを判断する。そして格納されている場合には、ＳＴ１０として棚卸済数カウンタＢを“１”だけカウントアップする（棚卸済単品数計数手段）。
【００３１】
さらに、ＳＴ１１として棚卸入力データファイル６３を先頭レコードから順に検索して、棚卸確定条件の実行年月度を棚卸実行日とするもので単品コードが該当単品コードと一致する棚卸入力データが格納されているか否かを判断する。そして格納されている場合には、ＳＴ１２として棚卸単品数カウンタＣを“１”だけカウントアップする（棚卸入力単品数計数手段）。
【００３２】
単品マスタファイル６２を最終レコードまで検索し終えたならば、演算処理部１２は、ＳＴ１３として下記（１）式により未棚卸単品数Ｄを算出する（未棚卸単品数算出手段）。
【００３３】
Ｄ＝Ａ−（Ｂ＋Ｃ）  …（１）
なお、（１）式においてＡは単品数カウンタの値であり、Ｂは棚卸済数カウンタの値であり、Ｃは棚卸単品数カウンタの値である。
【００３４】
しかる後、演算処理部１２は、ＳＴ１４として選択部門の部門コード及び部門名称と、単品数カウンタＡ，棚卸済数カウンタＢ及び棚卸単品数カウンタＣの各値と、これらのカウンタ値から算出された未棚卸単品数Ｄとを表示バッファ１６に格納する。
【００３５】
演算処理部１２は、棚卸確定条件である棚卸部門を１つ選択する毎に、その選択部門に対してＳＴ３〜ＳＴ１４の各処理を繰返し実行する。そして、ＳＴ１５として棚卸確定条件で指定された全ての棚卸部門についてＳＴ３〜ＳＴ１４の各処理を実行したならば、演算処理部１２は、ＳＴ１６として表示バッファ１６のデータに基づいて棚卸確定確認画面を表示部３０に表示出力させる（出力手段）。
【００３６】
この棚卸確定確認画面の一表示例を図７に示す。図示するように、棚卸確定確認画面７０には、棚卸確定条件で指定された部門別に、マスタ単品数Ａ，棚卸済単品数Ｂ，棚卸入力単品数Ｃ及び未棚卸単品数Ｄと未棚卸処理区分コードとを併記した一覧表７１が表示されている。また、商品棚卸データを確定させることを宣言する確定宣言手段としての実行ボタン７２と、商品棚卸データの確定を取り消すキャンセルボタン７３が表示されている。
【００３７】
棚卸確定確認画面を表示出力後、演算処理部１２は、ＳＴ１７及びＳＴ１８として上記キャンセルボタン７３及び実行ボタン７２のいずれかが操作されるのを待機する。そして、操作入力部２０の操作入力により実行ボタン７２が操作されたことを検知した場合には、演算処理部１２は、ＳＴ１９として棚卸確定処理を実行する。すなわち、棚卸入力データファイル６３に保存されている全ての棚卸入力データを棚卸確定データに変換して棚卸確定データファイル６４に追加登録する。そして、棚卸入力データファイル６３のデータをクリアする。また、単品マスタファイル６２の該当単品コードに対応する棚卸確定数を今回の棚卸数に更新する（確定処理手段）。
【００３８】
しかる後、演算処理部１２は、ＳＴ２０として表示部３０から棚卸確定確認画面７０を消去したならば、今回の棚卸確定業務を終了する。
【００３９】
これに対し、棚卸確定確認画面７０で実行ボタン７２でなくキャンセルボタン７３が操作された場合には、演算処理部１２は、棚卸確定処理を実行することなく表示部３０から棚卸確定確認画面７０を消去して、今回の棚卸確定業務を終了する。
【００４０】
このように構成された本実施の形態においては、コンピュータ本体１０上で棚卸データ処理プログラムを起動させることにより、棚卸確定条件の入力が可能となる。ここで、実行年月度（例えば２００４年１１月度）と棚卸部門（例えば部門１０，２０，３０，４０）の棚卸確定条件を入力すると、部門マスタファイル６１，単品マスタファイル６２，棚卸入力データファイル６３及び棚卸確定データファイル６４に記憶されている各データにより、例えば図７に示される棚卸確定確認画面７０が表示部３０に表示される。
【００４１】
この棚卸確定確認画面７０に表示された部門別のマスタ単品数Ａ，棚卸済単品数Ｂ，棚卸入力単品数Ｃ，未棚卸単品数Ｄ及び未棚卸処理区分により、オペレータは次のことがわかる。すなわち、マスタ単品数Ａから各部門にそれぞれ属する商品の単品数がわかる。棚卸済単品数Ｂから部門毎にその部門に属する商品の中で実行年月度に棚卸が既に確定されている商品の単品数がわかる。棚卸入力単品数Ｃから部門毎にその部門に属する商品の中で実行年月度に棚卸が行われて商品棚卸データが入力済である商品の単品数がわかる。未棚卸単品数Ｄから部門毎にその部門に属する商品の中で実行年月度に棚卸がまだ行われていない商品の単品数がわかる。未棚卸処理区分から部門毎にその部門に属する商品のうち棚卸が行われていない商品に対しての確定方法がわかる。
【００４２】
そこでオペレータは、未棚卸単品数Ｄが“０”でない部門について、その部門に属する商品のうち未棚卸単品数Ｄ分の商品の棚卸がまだ行われていないことを容易に知り得る。その結果、棚卸を確定させない場合には、例えば操作入力部２０のマウスを操作して、画面７０のキャンセルボタン７３を操作すればよい。
【００４３】
また、仮に全ての棚卸部門の未棚卸単品数Ｄが“０”であった場合には、棚卸実行し忘れの商品がないと容易に判断できる。そしてその場合には、画面７０の実行ボタン７２を操作することによって、棚卸確定処理が実行される。
【００４４】
このように本実施の形態によれば、棚卸確定操作の前に棚卸実行し忘れの商品有無を確認できるので、棚卸確定操作にやり直しを未然に防ぐことができる。また、棚卸確定確認画面７０から棚卸実行し忘れの商品有無を確認後、その画面７０に表示されている実行ボタン７２を操作することで棚卸確定処理を実行できるので、操作性が良好である。
【００４５】
なお、この発明は前記実施形態そのままに限定されるものではなく、実施段階ではその要旨を逸脱しない範囲で構成要素を変形して具体化できる。
【００４６】
例えば前記実施の形態では、１つの店舗での棚卸業務で発生した棚卸データの処理装置として本発明を説明したが、複数の店舗のストアコントローラをオンラインで接続してなる上位のサーバ、例えば本部サーバに本発明の機能を持たせて、複数の店舗での棚卸業務で発生した棚卸データを一元的に処理する装置としてもよい。この場合、棚卸確定条件として１つの店舗を指定する店舗コードを入力するように構成することで可能となる。
【００４７】
また、前記実施の形態では棚卸確定確認画面７０に未棚卸単品数Ｄだけでなくマスタ単品数Ａ，棚卸済単品数Ｂ，棚卸入力単品数Ｃ等も表示させたが、少なくとも未棚卸単品数Ｄを表示させることで本発明の効果を奏することはできる。また、出力手段は表示手段に限定されるものではなく、例えばコンピュータ本体１０にプリンタを接続して印字出力させるようにしてもよい。
【００４８】
また、売上数量の取得方法は、ＰＯＳターミナル４０から取得する方法だけに限定されるものではなく、コンピュータ本体１０の操作入力部２０の操作により入力されたデータをデータ記憶部１４で保持するようにしてもよい。
【００４９】
また、棚卸数量の登録方法もハンディターミナル５０からの登録に限定されるものではなく、コンピュータ本体１０の操作入力部２０の操作により入力された棚卸入力データを棚卸入力データファイル６３で保持するようにしてもよい。
【００５０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５１】
【図１】本発明の一実施の形態における棚卸データ処理システムの要部構成を示すブロック図。
【図２】図１における部門マスタファイルのデータ構造例を示す模式図。
【図３】図１における単品マスタファイルのデータ構造例を示す模式図。
【図４】図１における棚卸入力データファイルのデータ構造例を示す模式図。
【図５】図１における棚卸確定データファイルのデータ構造例を示す模式図。
【図６】図１における演算処理部の棚卸データ処理プログラム起動時における処理手順を示す流れ図。
【図７】棚卸確定確認画面の一例を示す平面図。
【符号の説明】
【００５２】
１０…コンピュータ本体、１１…通信インターフェイス部、１２…演算処理部、１３…プログラム記憶部、１４…データ記憶部、１５…入力・表示制御部、１６…表示バッファ、２０…操作入力部、３０…表示部、４０…ＰＯＳターミナル、５０…ハンディターミナル、６１…部門マスタファイル、６２…単品マスタファイル、６３…棚卸入力データファイル、６４…棚卸確定データファイル、７０…棚卸確定確認画面。
【図１】
2006164054.tif 000003
【図２】
2006164054.tif 000004
【図３】
2006164054.tif 000005
【図４】
2006164054.tif 000006
【図５】
2006164054.tif 000007
【図６】
2006164054.tif 000008
【図７】
2006164054.tif 000009